(57)【特許請求の範囲】
【請求項１】
原稿が載置されて、載置された当該原稿が押し付けられたときに撓む透明体と、
前記透明体に載置される原稿を照射するための照射手段と、を備え、
前記照射手段による前記透明体の第１の領域への光量が、該第１の領域より前記撓みによる変位量が小さい第２の領域への光量より多い、
ことを特徴とする画像読取装置。
【請求項２】
前記第１の領域は、前記透明体の端部に対して中央部側の部分である、
ことを特徴とする請求項１に記載の画像読取装置。
【請求項３】
前記照射手段が照射する光の上下方向における拡散領域は、前記透明体の第１の領域が前記第２の領域よりも広い、
ことを特徴とする請求項１又は２に記載の画像読取装置。
【請求項４】
前記照射手段は複数の光源を有し、前記透明体の第１の領域に対応する前記光源の配列ピッチは、前記透明体の第２の領域に対応する前記光源の配列ピッチよりも狭く設定されている、
ことを特徴とする請求項１乃至３のいずれか１項に記載の画像読取装置。
【請求項５】
前記透明体の第１の領域に対応する前記照射手段の発光量は、前記透明体の第２の領域に対応する前記照射手段の発光量よりも多く設定されている、
ことを特徴とする請求項１乃至３のいずれか１項に記載の画像読取装置。
【請求項６】
前記照射手段の前記透明体の第１の領域に対応する光の出射面に、拡散シートを設けた、
ことを特徴とする請求項１乃至５のいずれか１項に記載の画像読取装置。
【請求項７】
前記照射手段の前記透明体の第１の領域に対応する光の出射面は、光を拡散する粗面に形成されている、
ことを特徴とする請求項１乃至５のいずれか１項に記載の画像読取装置。
【請求項８】
前記照射手段は前記透明体の下方を副走査方向に移動し、前記透明体の第１の領域は、
前記照射手段の主走査方向の端部に対して中央部側の部分である、
ことを特徴とする請求項１乃至７のいずれか１項に記載の画像読取装置。
【請求項９】
前記主走査方向の中央部分に対応する前記照射手段による光量は、該中央部分の両側の部分に対応する光量よりも多く、かつ前記両側の部分より外側の部分に対応する光量よりも少なく設定されている、
ことを特徴とする請求項８に記載の画像読取装置。
【請求項１０】
前記照射手段が照射する光の前記透明体の撓み方向における拡散領域は、前記透明体の第１の領域が前記第２の領域よりも広い、
ことを特徴とする請求項１乃至７のいずれか１項に記載の画像読取装置。
【請求項１１】
前記透明体の撓みによる変位量は、前記透明体に載置される原稿によって前記透明体が押されることにより発生する変位量である、
ことを特徴とする請求項１乃至７のいずれか１項に記載の画像読取装置。
【請求項１２】
原稿が載置されて、載置された当該原稿が押し付けられたときに撓む透明体と、
前記透明体に載置される原稿を照射するために前記透明体の下方を副走査方向に移動する照射手段と、
前記透明体の下方への撓み量を検知する撓み量検知手段と、
前記照射手段の発光量を調節する発光量調節手段と、を備え、
前記発光量調節手段は、前記撓み量検知手段によって検知される前記撓み量に応じて、前記透明体の第１の領域への光量が、該第１の領域より検知された前記撓み量が小さい第２の領域への光量より多くなるように発光量を調整する、ことを特徴とする画像読取装置。
【請求項１３】
前記撓み量検知手段が所定量を越える撓み量を検知したときは、前記照射手段は前記移動を停止する、
ことを特徴とする請求項１２に記載の画像読取装置。
【請求項１４】
請求項１乃至１３のいずれか１項に記載の画像読取装置と、
シートに画像を形成する画像形成部と、を備え、
前記画像読取装置の画像読取情報に基づいてシートに画像を形成する、
ことを特徴とする画像形成装置。
【発明の詳細な説明】
【技術分野】
【０００１】
本発明は、画像読取装置と、この画像読取装置を装置本体に備えた画像形成装置とに関する。
【背景技術】
【０００２】
図８は、従来の画像読取装置８００のキャリッジ８０７の移動方向Ｋ１に沿った断面概略図である。キャリッジ８０７のＬＥＤ８０１から出射された光Ｌは、導光体８０２を通り、固定読みガラス８０３の上に載置された原稿Ｇの原稿面（画像面）Ｇｆを照明する。キャリッジ８０７は、移動方向Ｋ１と直交する主走査方向へのライン読みと、移動方向Ｋ１である副走査方向への移動とによって、原稿面Ｇｆの２次元画像を読み取っていく。原稿面Ｇｆで反射された光Ｌは、さらに複数の反射ミラー８０４で反射された後、結像光学部８０５によって光電変換素子８０６に結像されて、電気信号に変換される。
【０００３】
一般に、ＬＥＤ８０１から出射された光Ｌは、中心が明るく、中心から遠ざかるに従って暗くなっていく配光特性を備えている。また、原稿を照射する光源として、１個のＬＥＤ８０１だけでは、原稿を照明するには、十分な光量が得られない。このため、複数のＬＥＤ８０１が必要である。なお、ＬＥＤ８０１と導光体８０２とによって構成される部分を原稿照明部８０８とする。
【０００４】
この原稿照明部８０８は、ＬＥＤ８０１を原稿照明用光源として用いた場合、結像光学部８０５による周辺光量の低下を防ぐため、ＬＥＤをアレイ状に複数配置し、その配列を工夫した画像読取装置（特許文献１）がある。
【０００５】
この画像読取装置は、多数個の発光素子を主走査方向に配列し、各発光素子からの発光量と、発光素子間の配列ピッチとの少なくとも一方を変えて、主走査方向の両端部からの照射光量を主走査方向の中央部よりも多くしてある。この結果、画像読取装置は、原稿照射面における照度分布で結像レンズの余弦四乗則特性を予め補正するようになっている。
【先行技術文献】
【特許文献】
【０００６】
【特許文献１】特開昭６１−１４２８５７号公報
【発明の概要】
【発明が解決しようとする課題】
【０００７】
しかし、従来の画像読取装置は、透明体としての固定読みガラス８０３がキャリッジ８０７に接近する方向に撓んだ場合、照度不足や照度ムラが発生して、原稿全体を均一の読み取り精度で読み取ることができないという問題があった。
【０００８】
すなわち、図９に示すように、ユーザによって、固定読みガラス８０３に載置された書類、書籍等の厚みが厚く、かつ綴じ部のある原稿ＧＢは、固定読みガラス８０３との間に隙間Ｃが生じる。この隙間Ｃを少なくするため、ユーザは、固定読みガラス８０３を覆う圧板８４７を介して、原稿ＧＢを固定読みガラス８０３に強く押し付ける（矢印Ｗ）。すると、固定読みガラス８０３の押された部分が実線の平らな位置から下方に弾性変形して破線で示すように撓むことがある。このように、固定読みガラス８０３が下方に撓むと、固定読みガラス８０３とキャリッジ８０７との距離が不均一になる。このため、従来の画像読取装置は、照度不足や照度ムラが発生して、原稿全体を均一の読み取り精度で読み取ることができないという問題があった。
【０００９】
また、このような画像読取装置を装置本体に備えた画像形成装置は、品質の良い画像を形成することができないという問題があった。
【００１０】
本発明は、原稿が載置される透明体のある部分が多く沈んでもその多く沈んだ部分近傍の照度の低下を抑え、照度ムラが発生しにくい画像読取装置を提供することにある。
【課題を解決するための手段】
【００１１】
本発明は、原稿が載置されて、載置された当該原稿が押し付けられたときに撓む透明体と、前記透明体に載置される原稿を照射するための照射手段と、を備え、前記照射手段による前記透明体の第１の領域への光量が、該第１の領域より前記撓みによる変位量が小さい第２の領域への光量より多い、ことを特徴としている。
【００１３】
本発明の画像形成装置は、原稿の画像を読み取る画像読取装置と、前記画像読取装置の画像読取情報に基づいてシートに画像を形成する画像形成部と、を備え、前記画像読取装置は、上記の画像読取装置である、ことを特徴としている。
【発明の効果】
【００１４】
本発明によれば、原稿が載置される透明体のある部分が多く沈んでもその多く沈んだ部分近傍の照度の低下を抑え、照度ムラが発生しにくい画像読取装置を提供できる。
【００１６】
本発明の画像形成装置は、原稿が載置される透明体のある部分が多く沈んでもその多く沈んだ部分近傍の照度の低下を抑え、照度ムラが発生しにくい画像読取装置を備えているので、シートに品質の良い画像を形成することができる。
【図面の簡単な説明】
【００１７】
【図１】本発明の画像形成装置のシート搬送方向に沿った断面図である。
【図２】本発明の第１実施形態の画像読取装置のキャリッジの移動方向（副走査方向）に沿った断面概略図である。
【図３】図２に示す、光源と導光体との平面図である。
【図４】固定読みガラスと導光体との副走査方向に沿った断面図である。（Ａ）は、図３のＡ−Ａ矢視断面図である。（Ｂ）は、図３のＢ−Ｂ矢視断面図である。
【図５】図４の導光体と形態の異なる導光体の図である。
【図６】本発明の第２実施形態の画像読取装置の副走査方向に沿った断面概略図である。
【図７】本発明の第２実施形態の画像読取装置の制御ブロック図である。
【図８】従来の画像読取装置におけるキャリッジの副走査方向に沿った断面概略図である。
【図９】従来の画像読取装置の固定読みガラスの変形を示す模式図である。
【発明を実施するための形態】
【００１８】
以下、本発明の実施形態の画像読取装置と、この画像読取装置を装置本体に備えた画像形成装置とを図に基づいて説明をする。
【００１９】
図１は、本発明の画像形成装置のシート搬送方向に沿った断面図である。なお、上下左右の方向は、図１に矢印で示す方向とする。また、上下方向と左右方向とに交差する方向は、主走査方向（図３の矢印Ｋ２方向）であり、左右方向（矢印Ｋ１方向）は、副走査方向である。なお、副走査方向Ｋ１は、後述するキャリッジ５０の移動方向でもある。
【００２０】
画像形成装置１は、箱型の装置本体（本体フレーム）１０と、装置本体１０の上部に設けられた画像読取装置１５とを備えている。画像形成装置の装置本体１０には、下側から上側に向かって略順に、シート給送部１１、画像形成部１２、定着部１３、シート排出部１４が設けられている。また、画像形成部１２、定着部１３の右側には、シート再給送部１６が設けられている。
【００２１】
シート給送部１１には、給紙カセット２１、ピックアップローラ２２、給送パス２３、給送ローラ対２４、レジストローラ対２５、手差しトレイ２６等が配設されている。給紙カセット２１内に積層状態で収納されたシートＳは、ピックアップローラ２２の回転によって１枚だけ分離されて給送パス２３に供給される。そして、シートＳは、給送ローラ対２４によって、回転を停止しているレジストローラ対２５のニップに当接されて、撓まされ、斜行を真っ直ぐに矯正される。なお、シートＳは、手差しトレイ２６からも、ピックアップローラ２７、給送ローラ対２８によって供給されるようになっている。
【００２２】
画像形成部１２には、感光ドラム３１と、その周囲に感光ドラム３１の回転方向に沿って順に配設された帯電ローラ３２、露光装置としてのレーザユニット３３、現像ローラ３４、転写ローラ３５等が設けられている。
【００２３】
感光ドラム３１は、その表面が帯電ローラ３２によって均一に帯電されて、レーザユニット３３からのレーザ光によって走査される。感光ドラム３１の表面には、レーザ光照射部分の電荷が除去されて静電潜像が形成される。静電潜像は、現像ローラ３４によってトナーが付着され、トナー画像として現像される。このトナー画像は、感光ドラム３１の回転によって転写ニップ部Ｎ１に搬送される。これにタイミングを合わせて、レジストローラ対２５からシートＳが転写ニップ部Ｎ１に供給される。供給されたシートＳは、転写ニップ部Ｎ１において挟持搬送されながら、転写ローラ３５によって、トナー画像が感光ドラム３１からシートＳに転写される。なお、レーザユニット３３から照射されるレーザ光は、後述する画像読取装置１５によって読み取られた原稿Ｇの原稿面（画像面）Ｇｆの画像読取情報に基づいてオンオフ制御されるようになっている。
【００２４】
定着部１３には、定着ローラ４１、加圧ローラ４２等が配設されている。定着ローラ４１は、所定の定着温度（例えば、１８０℃程度）に加熱されて、加圧ローラ４２が当接されることで、両ローラ間に定着ニップ部Ｎ２が形成されている。表面にトナー画像が転写されたシートＳは、定着ニップ部Ｎ２に送り込まれて、定着ニップ部Ｎ２において挟持搬送されながら、定着ローラ４１によって加熱されることで、表面にトナー画像が定着される。
【００２５】
シート排出部１４には、排出パス４３、排出ローラ対４４、排出トレイ４５等が配設されている。トナー画像が定着されたシートＳは、排出パス４３に沿って搬送され、排出ローラ対４４によって排出トレイ４５に排出される。
【００２６】
シート再給送部１６は、再給送パス４８と、再給送ローラ対４９を備えている。シートＳの裏面にもトナー画像を形成する場合、表面にトナー画像が定着されたシートＳは、後端が排出ローラ対４４を抜ける前に、排出ローラ対４４を停止させ、さらに逆回転させることにより、再給送パス４８に送り込まれる。このシートＳは、再給送ローラ対４９によって、再給送パス４８を搬送され、給送パス２３に進入して、回転を停止しているレジストローラ対２５によって停止される。このシートＳは、その後、表面にトナー画像が転写され、定着されたときと同様にして、裏面にトナー画像が転写され、定着された後、排出トレイ４５上に排出される。
【００２７】
（第１実施形態の画像読取装置）
画像読取装置１５は、原稿給送部８１と、画像読取部８２とで構成されている。原稿給送部８１は、画像読取部８２に開閉できるように設けられている。
【００２８】
原稿給送部８１は、原稿Ｇを自動的に画像読取部８２に搬送するようになっている。原稿給送部８１は、ユーザによって原稿トレイ８３に載置された原稿Ｇをピックアップローラ８４で搬送ローラ対８５に送る。搬送ローラ対８５は、レジストローラ対８６に送り、レジストローラ対８６とで、斜行した原稿を真っ直ぐに矯正する。その後、搬送ローラ対８７、白色ローラ８８によって、原稿を流し読みする流し読みガラス８９上に送り込む。流し読みガラス８９の下に停止している後述するキャリッジ５０が原稿の画像を読み取る。画像を読み取られた原稿は、掬い上げ部材９０によって、流し読み読みガラス８９から掬い上げられて、排出ローラ対９１によって排出トレイ９２に排出される。原稿の両面を読み取るとき、原稿は、反転パス９３によって裏返しにされて、再度、流し読みガラス８９に送り込まれて、他方の面の画像をキャリッジ５０によって読み取られる。最後、原稿は、排出トレイ９２に排出される。このように、キャリッジ５０を図１に示す位置に停止させた状態で、流し読みガラス８９上を、原稿を通過させて読み取る方法を流し読みと言う。
【００２９】
画像読取部８２は、キャリッジ５０、固定読みガラス４６、流し読みガラス８９、移動装置５２等を備えている。
【００３０】
移動装置５２は、モータ５３と、モータの出力軸に取り付けられた駆動プーリ５４と、従動プーリ５５と、これらに架け渡されてキャリッジ５０に連結されたワイヤ５６等を有し、キャリッジ５０を副走査方向Ｋ１に移動させるようになっている。移動装置５２は、モータ５３を正転又は逆転することにより、駆動プーリ５４を正転又は逆転させ、ワイヤ５６を介してキャリッジ５０を副走査方向Ｋ１に往復移動させるようになっている。キャリッジ５０には、後述する原稿照明部７０が組み込まれている。
【００３１】
図２は、画像読取装置のキャリッジの移動方向（副走査方向）に沿った断面図である。画像読取部８２は、固定読みガラス４６の上面に原稿面Ｇｆを下向きにして載置された原稿Ｇを、固定読みガラス４６の下を副走査方向Ｋ１に、キャリッジ５０が移動することによって読み取るようになっている。この場合、原稿は、原稿給送部８１によって固定読みガラス４６に押し付けられて、原稿面Ｇｆを読み取られる。
【００３２】
キャリッジ５０は、原稿Ｇの原稿面Ｇｆを主走査方向Ｋ２（図３）に光を照射しつつ、移動装置５２によって副走査方向Ｋ１に移動して、原稿面Ｇｆ全体を走査して、画像情報を読み取る。このように、キャリッジ５０を副走査方向Ｋ１に移動させて、固定読みガラス４６に載置された原稿を読み取る方法を固定読みと言う。
【００３３】
画像情報は、上述のレーザユニット３３に送信されて、レーザ光のオンオフの制御等に供される。なお、キャリッジ５０については後にさらに説明する。
【００３４】
次に、図２を参照して、画像読取装置１５のキャリッジ５０と、原稿照明部７０とについて説明をする。
【００３５】
キャリッジ５０は、筐体６１、原稿照明部７０、支持部材６２，６３、複数のミラー６４、結像光学部６５、ＣＣＤ等の光電変換素子６６等を備えている。移動体としての筐体６１は、箱型をしており、副走査方向Ｋ１に往復移動可能に、原稿が位置する固定読みガラス（透明体）４６および流し読みガラス８９の下方に配置されている。支持部材６２，６３は、キャリッジの筐体６１に原稿照明部７０を取り付けるための部材である。光電変換素子６６は、主走査方向（図３の矢印Ｋ２方向）に沿った長尺な部材であり、原稿から反射された光を受光して画像情報を読み取る撮像素子である。
【００３６】
キャリッジの筐体６１の上面の斜面した部分は、照明取付部６１ａ，６１ｂである。この照明取付部６１ａ，６１ｂには、原稿照明部７０が支持部材６２，６３によって取り付けられている。筐体６１の読取光軸Ｌａに対応する位置には、スリットＹが形成されている。スリットＹは、主走査方向に沿って形成されている。なお、原稿照明部７０については、後述する。
【００３７】
ミラー６４は、スリットＹを通過した光の反射回数を多くして、光電変換素子６６に至るまでの光の光路長を長くするため、複数枚設けられている。結像光学部６５は、最終のミラー６４で反射された光を、光電変換素子６６に結像するようになっている。キャリッジの筐体６１は、ガイド部材（不図示）の案内と、移動装置５２（図１）の駆動とよって、副走査方向Ｋ１に往復移動するようになっている。
【００３８】
次に、図３を参照して、原稿照明部７０について説明する。図３は、図２に示す原稿照明部７０の平面図である。原稿照明部７０は、第１の光源アレイ７１ａと、第２の光源アレイ７１ｂと、第１の導光体７２ａと、第２の導光体７２ｂとを有している。第１の導光体７２ａと第２の導光体７２ｂは、長尺な部材であり、キャリッジ５０の移動方向Ｋ１に対して直交する向きに、キャリッジの筐体６１に設けられている。第１の導光体７２ａと、第２の導光体７２ｂの配置された向きが主走査方向Ｋ２である。また、第１の導光体７２ａと、第２の導光体７２ｂは、流し読みガラス８９と固定読みガラス４６との下面に対して離間対向してキャリッジの筐体６１に設けられている。
【００３９】
第１の光源アレイ７１ａは、第１の導光体７２ａに隣接して主走査方向Ｋ２に配置されている。第１の導光体７２ａには、出射面７３ａが形成されている。第１の光源アレイ７１ａから出射された光は、第１の導光体７２ａを透過して、第１の導光体７２ａの出射面７３ａから出射されて、原稿Ｇに照射される。
【００４０】
第２の光源アレイ７１ｂは、第２の導光体７２ｂに隣接して主走査方向Ｋ２に配置されている。第２の導光体７２ｂにも、出射面７３ｂが形成されている。第２の光源アレイ７１ｂから出射された光は、第２の導光体７２ｂを透過し、第２の導光体７２ｂの出射面７３ｂから出射されて、原稿Ｇに照射される。
【００４１】
第１の光源アレイと、第２光源アレイと、第１の導光体７２ａと、第２導光体７２ｂとは、照度低下低減手段を構成している。
【００４２】
第１の導光体と第２の導光体の出射面７３ａ，７３ｂの形状は、主走査方向の中央部分７３ａａ，７３ｂａと、その両側の部分（中間部分）７３ａｂ，７３ｂｂと、端部部分７３ａｃ，７３ｂｃとで異なっている。
【００４３】
また、第１の光源アレイ７１ａと第２の光源アレイ７１ｂは、主走査方向に配列された光源としての複数のＬＥＤ７５ａ，７５ｂで形成されている。第１の導光体と第２の導光体との主走査方向の中央部分と中間部分と端部部分とに対応するＬＥＤ７５ａ，７５ｂの配列ピッチが異なっている。
【００４４】
ここで、第１、第２の導光体の中央部分７３ａａ，７３ｂａに対応するＬＥＤ７５ａ，７５ｂの配列ピッチをＰａとする。中央部分の両側の部分（中間部分）７３ａｂ，７３ｂｂに対応する配列ピッチをＰｂとする。そして、端部部分７３ａｃ，７３ｂｃに対応する配列ピッチをＰｃとする。
【００４５】
すると、  Ｐｂ＞Ｐａ＞Ｐｃ      式１
の関係に設定されている。すなわち、配列ピッチが、中央部分では密、中間部では中央部分よりも疎、端部分では中央部分より密になっている。
【００４６】
なお、各配列ピッチは、各部分内において、等間隔であってもよいが、その場合、各部分の境目で、第１、第２の導光体から発する光量が急に変わるので、各部分の境目で光量が急に変わらないように、各部分内におけるピッチは等間隔である必要はない。すなわち、第１、第２の導光体から発する光量が、図３（Ｂ）で示すように、曲線的に変化するような配列ピッチであることが好ましい。
【００４７】
次に、図４を参照して、原稿照明部７０の原稿照射動作を説明する。図４は、固定読みガラスと導光体との副走査方向に沿った断面図である。（Ａ）は、図３のＡ−Ａ矢視断面図である。（Ｂ）は、図３のＢ−Ｂ矢視断面図である。
【００４８】
図４（Ａ）において、固定読みガラス４６は、ユーザによって、書籍のような不図示の原稿が載置されて、原稿給送部８１（図１）を介して押圧力Ｗが加わると、実線で示す位置から、破線で示すように下方に撓むことがある。なお、矢印は原稿を照射する光の方向を概念的に示したものである。さらに、図中のＬａ線は副走査方向における原稿の読取光軸を示している。
【００４９】
導光体は従来の管状光源に対して集光効果があるため、固定読みガラス４６が撓み、読み取り位置が下がると、副走査方向に沿った断面が一様の導光体では出射した光は主走査中央部近傍には届きにくくなり、照度低下が発生する。
【００５０】
しかし、本実施形態の第１の導光体７２ａと第２の導光体７２ｂは、副走査方向に沿った断面形状を主走査方向の中央部分７３ａａ，７３ｂａと中間部分７３ａｂ，７３ｂｂと端部部分７３ａｃ，７３ｂｃとで異なっている。
【００５１】
図４（Ａ）で示す中央部分７３ａａ，７３ｂａの反射面７４ａ，７４ｂは、図４（Ｂ）に示す端部部分７３ａｃ，７３ｂｃの反射面７４ａ，７４ｂと比べて、角度が寝た角度にしてある。なお、中間部分７３ａｂ，７３ｂｂの反射面７４ａ，７４ｂの角度は（不図示）、図４（Ａ）と図４（Ｂ）との中間の寝た角度にしてある。
【００５２】
このため、中央部分７３ａａ，７３ｂａの出射面７３ａ，７３ｂから出射する一部の光Ｌ１は屈折し、一部の光Ｌ２は屈折しないようになっている。この結果、第１の導光体と第２の導光体とがＬＥＤの光を上方に拡散したときの、固定読みガラス４６より下方の照射領域（拡散領域）ＡＲは、主走査方向の中央部分の方が、該中央部分の両側の部分（中間部分）、端部部分よりも広く設定されていることなる。このため、Ｌａ線近傍では、下方向に照射領域ＡＲが広がり、破線で示す撓んだ固定読みガラス４６でも光が読み取り位置を照射することができる。
【００５３】
ところで、導光体の形状を変えて照射領域ＡＲを単純に下方向に広げると、単位面積当たりでの光量が減り、原稿の照度が下がることになる。しかし、図３や、式１に示すよう照射領域を広げた中央部分のＬＥＤの配列ピッチを中間部分より密にしているため、照射領域を広げても、単位面積当たりでの光量が減らないようにしてある。これにより、画像読取装置１５は、固定読みガラス４６が下方に撓んでも、原稿に対する照度の低下を防止して、画像読取精度を略一定に保つことができる。
【００５４】
なお、結像光学部６５がキャリッジと一緒に動くものの場合、キャリッジを小型にするため、結像光学部６５は２：１ミラー走査型の結像光学部に比べ広角にする必要がある。
【００５５】
しかし、結像光学部６５を広角化すると、周辺画角の光量は結像光学部６５の半画角の余弦四乗に比例して減少するため、例えば半画角３０度では周辺光量は中央部に対して５６％にまで低下する。
【００５６】
このような光量低下を低減する光源アレイ配列ピッチと同程度の光源アレイを中央部分に配置すると、中央部分の照射領域拡大を大きく広げる必要が発生し、導光体の形状が端部と大きく違うものにしなければならなくなる。このため、製造の難易度や費用が上昇することがある。また、照射領域を大きく広げすぎると迷光の原因となる可能性が高くなることもある。
【００５７】
結像光学部６５の画角により配列ピッチも様々あるが、本実施形態のような結像光学部６５がキャリッジと一緒に動くものの場合は式１の関係を満たすものがよい。
【００５８】
以上の原稿照明部７０は、第１の導光体７２ａと第２の導光体７２ｂとの主走査方向の中央部分と中間部分と端部部分との副走査方向に沿った断面形状を変えて、上下方向の照射領域ＡＲを異にしている。しかし、図５に示す第１の導光体１７２ａと第２の導光体１７２ｂとの主走査の中央部分の出射面１７３ａ，１７３ｂに拡散シート１７６ａ、１７６ｂを設けて、照射領域ＡＲを上下方向に拡散させてもよい。あるいは、出射面１７３ａ，１７３ｂをサンドブラスタ加工等で微細な粗面（不図示）にして、照射領域ＡＲを上下方向に拡散させてもよい。このように、出射面１７３ａ，１７３ｂに拡散シートを設けたり、出射面１７３ａ，１７３ｂを粗面にしたりすると、第１の導光体７２ａと第２の導光体７２ｂの全長に渡って副走査方向の断面形状を同じにして、導光体の形状を簡単な形状にすることができる。なお、図５中、符号１７４ａ，１７４ｂは、反射面であり、図４の反射面７４ａ，７４ｂと同様な反射面である。
【００５９】
以上、説明した、画像読取装置１５は、原稿給送部８１で原稿を固定読みガラス４６に押し付けているが、原稿給送部８１の代わりに、図９に示す圧板８４７を設けて、圧板８４７で押し付けてもよい。この場合、流し読みガラス８９は、不要である。
【００６０】
以上の説明では、第１の導光体７２ａ，１７２ａと、第２導光体７２ｂ，１７２ｂが原稿を照射する光量を、各ＬＥＤの光量を同じにして、配列ピッチを異にして、変えている。しかし、これに限定されることなく、配列ピッチを同じにして、ＬＥＤの光量を異にして、原稿を照射する光量を変えてもよい。
【００６１】
（第２実施形態の画像読取装置）
次に、図６に基づいて、第２実施形態の画像読取装置２１５を説明する。第２実施形態の画像読取装置２１５も、第１実施形態の画像読取装置１５と同様に、原稿給送部８１と、画像読取部２８２とで構成されている。しかし、第２実施形態の原稿給送部は第１実施形態の原稿給送部と同様な構成であるが、画像読取部は一部構成が異なっている。したがって、異なる部分を主体に図示および説明をして、同一部分については同一符号を付して説明を省略する。
【００６２】
キャリッジ２５０の第１の導光体２７２ａと第２の導光体２７２ｂは、主走査方向の全長に渡って、図４（Ｂ）に示すような断面形状をした長尺の部材である。導光体２７２ａ，２７２ｂの主走査方向に沿った外側端部に沿って、光源としてのＬＥＤ２７５ａ，２７５ｂが等間隔に配列されている。
【００６３】
固定読みガラス４６の上面に、原稿面Ｇｆを下向きにして載置された原稿Ｇは、原稿給送部８１を介してユーザに押圧されて、固定読みガラス４６を図６のように下方に撓ませつつ固定読みガラス４６に密着される。このとき、固定読みガラス４６と流し読みガラス８９との間に設けられた、掬い上げ部材９０も下方に撓む。掬い上げ部材９０は、主走査方向に沿った長尺な部材であるので、主走査方向の中央部分が最も撓む。
【００６４】
掬い上げ部材９０の主走査方向の中央部分の下面には、反射部材２５７が貼り付けられている。また、この反射部材２５７の下方には固定読みガラス４６と掬い上げ部材９０とが下方に撓んだ場合に、その撓み量を検知するための測距センサ２５８が配置されている。測距センサ２５８は、反射部材２５７に照射して反射した光を受光することによって、固定読みガラス４６の下方への撓み量を検知するようになっている。撓み量は、固定読みガラス４６が下方に撓んで、反射部材２５７が測距センサ２５８に接近し、両者の距離が短くなることで検知される。
【００６５】
なお、反射部材２５７は、固定読みガラス４６の読取領域内に設けると、ＬＥＤ２７５ａ，２７５ｂの光を反射して、画像読取部２８２によって読み取られることになる。このため、反射部材２５７は、画像読取部２８２の画像読取領域外で、かつ固定読みガラス４６と同様に撓む、掬い上げ部材９０の下面に設けられている。反射部材としては専用の反射部材の他に不図示のシェーディング白板を使っても良い。この場合、測距センサ２５８は、シェーディング白板の下方に設ける必要がある。
【００６６】
測距センサ５８は、画像形成装置１の電源投入時の、固定読みガラス４６に原稿がまだ載置されていない状態で測距を行い、ガラス撓み量の初期値を得る。その初期値は、図７に示すＣＰＵ２５９のＲＯＭ２５９ａに記憶される。なお、初期値は、工場出荷時に取得して予めＲＯＭ２５９ａに記憶しておいてもよい。
【００６７】
次に、原稿Ｇが固定読みガラス４６にセットされ、原稿給送部８１で固定読みガラス４６を閉める。固定読みガラス４６が閉じられて、コピー開始のボタンが押されると、測距センサ２５８は、測距を行い、現状値を得る。さらに、ＣＰＵ２５９は、演算部２５９ｂで初期値と現状値とを比較して、固定読みガラス４６の撓み量を算出する。固定読みガラス４６は、撓み量が多い程、第１の導光体２７２ａと第２の導光体２７２ｂとの照射領域（拡散領域）ＡＲから外れて、ＬＥＤ２７５ａ，２７５ｂの照射量が少なくなる。そこで、発光量調節手段としてのＣＰＵ２５９は、算出した撓み量が多い程、主走査方向の中央部分に対応するＬＥＤ２７５ａ，２７５ｂの電流値を高くして、光量を多くし、原稿の照射量不足を補う。この結果、画像読取装置２１５は、固定読みガラス４６が下方に撓んでも原稿を照射する光量を略一定に保つことができて、原稿の読取精度一定に保持することができる。
【００６８】
なお、ＣＰＵ２５９は、固定読みガラス４６の撓み量が大きく、キャリッジ２５０が副走査方向に移動して、固定読みガラス４６に干渉するおそれがある場合、電流の変化を行わず、キャリッジを停止させて、操作パネル２６０に異常状態であることを表示する。操作パネル２６０（図１）は、画像読取装置の装置本体１０に設けられており、ユーザが画像形成に必要な情報を入力したり、画像形成装置の動作状態を表示したりするようになっている。以上の構成において、反射部材２５７と測距センサ２５８は、撓み量検知手段を構成している。
【００６９】
以上、説明した、画像読取装置２１５は、原稿給送部８１で原稿を固定読みガラス４６に押し付けているが、原稿給送部８１の代わりに、図９に示す圧板８４７を設けて、圧板８４７で押し付けてもよい。この場合、流し読みガラス８９は、不要である。
【００７０】
また、以上の説明は、固定読みガラス４６の主走査方向の中央が撓んだ場合についてであるが、画像読取装置の構造によって、必ずしも主走査方向の中央が撓むとは限らない。したがって、固定読みガラス４６が最も多く撓む場所は、主走査方向の中央部分に限定されるものではなく、導光体の拡散領域の広い領域は、主走査方向の中央部分に限定されるものではない。
【００７１】
以上、本発明の好ましい実施形態について説明したが、本発明はこれらの実施形態に限定されず、その要旨の範囲内で種々の変形および変更が可能である。例えば、導光体の入射部以外では仕様によってさまざまな形状にすることが好ましい。
【００７２】
また、以上の画像読取装置を備えた画像形成装置は、シートに品櫃の良い画像を複写することができる。
【符号の説明】
【００７３】
１…画像形成装置、１０…画像形成装置の装置本体、１５，２１５…画像読取装置、４６…固定読みガラス（透明体）、８９…流し読みガラス、９０…掬い上げ部材、８１…原稿給送部、８２…画像読取部、５０、２５０…キャリッジ、５１、１５１…キャリッジの筐体（移動体）、７０…原稿照明部、７１ａ…第１の光源アレイ、７１ｂ…第２の光源アレイ、７２ａ…第１の導光体、７２ｂ…第２の導光体、７５ａ…第１の光源、７５ｂ…第２の光源、７３ａ，７３ｂ…出射面、２５７…反射部材（撓み量検知手段）、２５８…測距センサ（撓み量検知手段）、ＡＲ…照射領域（拡散領域）、２５９…ＣＰＵ（発光量調節手段）、Ｇ…原稿、Ｇｆ…原稿面（画像面）、Ｋ１…副走査方向、Ｌａ…読取光軸
【図１】
0005956407.tif 000002
【図２】
0005956407.tif 000003
【図３】
0005956407.tif 000004
【図４】
0005956407.tif 000005
【図５】
0005956407.tif 000006
【図６】
0005956407.tif 000007
【図７】
0005956407.tif 000008
【図８】
0005956407.tif 000009
【図９】
0005956407.tif 000010